(57)【特許請求の範囲】
【請求項１】
撮像素子と、撮像方向からの入射光を撮像素子へ集光させるレンズとを備えるカメラモジュールであって、前記レンズにおける光の入射する側に配置され、前記入射光に対して垂直方向に移動可能であり、前記入射光を散乱させる可視光散乱部と前記入射光を透過させる可視光透過部とを有するフィルターを備え、前記可視光透過部が前記レンズを覆う位置から前記可視光散乱部が前記レンズを覆う位置に、前記フィルターを制御信号に基づき自動的に移動させる手段をさらに備えており、前記可視光散乱部が前記レンズを覆う位置から前記可視光透過部が前記レンズを覆う位置に前記フィルターを制御信号に基づき自動的に移動させる手段を備えていないことを特徴とするカメラモジュールと、
高精細な画像を撮像するためのアプリケーションを起動および終了させ、かつ前記アプリケーションの終了後、前記制御信号を前記カメラモジュールに送信する信号処理回路とを備えていることを特徴とする電子機器。
【請求項２】
前記可視光散乱部は、光を散乱させるフィラーを含有していることを特徴とする請求項１に記載の電子機器。
【請求項３】
前記可視光散乱部の表面には、光を散乱させるシボ加工が施されていることを特徴とする請求項１に記載の電子機器。
【請求項４】
前記可視光透過部は、前記フィルターに形成された開口部であることを特徴とする請求項１に記載の電子機器。
【請求項５】
前記可視光散乱部が前記レンズを覆う位置に配置されていることを検出する検出手段をさらに備え、
前記可視光透過部が前記レンズを覆う位置から前記可視光散乱部が前記レンズを覆う位置に前記フィルターが移動するときは、前記可視光散乱部が前記レンズを覆う位置に配置されていることを前記検出手段が検出するまで、前記撮像素子による撮影は行わないことを特徴とする請求項１に記載の電子機器。
【発明の詳細な説明】
【技術分野】
【０００１】
本発明は、高精細な画像とぼやけた画像とを選択的に撮影できるカメラモジュール、およびそれを備えた電子機器に関する。
【背景技術】
【０００２】
近年、各種の電子機器（例えば、パソコンおよびテレビ等）に、カメラモジュールを搭載して利用することが盛んになっている。このカメラモジュールは、電子機器にあらかじめ内蔵されている場合もあれば、電子機器に外付けされる場合もある。いずれにせよ、電子機器に搭載されたカメラモジュールを用いることによって、当該電子機器において高精細な画像（静止画および動画）を撮影することができる。
【０００３】
また、カメラモジュールが搭載された電子機器において、単に画像を撮影することに留まらず、撮影した画像をインターネットを通じて特定の相手に送ったりあるいは不特定多数の人に配信したりする行為も良く行われている。さらには、インターネットを通じて画像と同時に音声も伝送することによって、電子機器（特にテレビ）をいわゆるテレビ電話として活用する仕組みが提案されている。このような電子機器の用途は、今後さらに普及することが見込まれている。
【０００４】
さらに、各種の電子機器に人体の接近を検知するセンサーを搭載して利用することも盛んになっている。この人体の接近を検知するセンサーは、人体の接近を検知し電子機器の内部機器へ電気信号を送る。そして、当該内部機器において、電気信号が解読され、当該内部機器から当該電子機器へ操作の指示を与えることにより電子機器が操作の指示に従って操作される。このような人体の接近を検知するセンサーの利用により人が特別な動作をすることなく、電子機器の操作ができるようになる。
【０００５】
また、この人体の接近を検知するセンサーを利用することによって、電子機器の消費電力を抑制する（例えば、電子機器の付近に人がいないことを検出した場合に、電子機器の表示明度を下げるまたは電子機器の電源をオフにする等）こともできる。
【０００６】
上記の高精細な画像を撮影する機能および人体の接近を検知する機能は電子機器に搭載する撮影および検知に関する機能である。よって、今後、上記２つの機能を搭載する電子機器の必要性が高まることが考えられる。
【０００７】
そのような場合、高精細の画像を撮影できるカメラモジュールと人体検出のための専用センサーとを実装するのではなく、高精細な画像を撮影できるカメラモジュールを人体検出センサーとしても使用する実装形態が要求される可能性がある。
【０００８】
しかしながら、高精細の画像を撮影できるカメラモジュールをその解像度のまま人体検出センサーとして使用する事は、一般ユーザから見ると、いつ撮影されているかわからない不安感、またその画像がインターネットへ流出しないかとの不安感を持つことが懸念される。
【０００９】
このため、当該実装形態が受け入れられるためには、ユーザが意図して撮影する場合以外には、ユーザ個々の識別が不完全になり、かつ人体検出には必要となる解像度を得る手段が不可欠になってくる。
【００１０】
すなわち、高精細の画像を、ユーザ個々の識別が不完全になり、かつ人体検出には必要となる解像度にする必要がある。
【００１１】
画像の解像度を低減する技術としては、センサーに隣接する画素をビニングしマクロ画素を形成して画像の解像度を低減する技術、信号処理部において画像を圧縮する技術および信号処理部において画像にぼかし処理を施す技術等が一般的に利用されている。
【００１２】
しかし、本発明に係るカメラモジュールの用途の場合、当該電子機器が、ウィルスに感染し、高精細な画像を撮影する機能および人体の接近を検知する機能の２つの機能が働かなくなる可能性がある。したがって、上述の手段は、本発明に係るカメラモジュールによって撮影された画像の解像度を低減させる手段としては、最適なではない。
【００１３】
特許文献１には、画像データの生成および出力技術について、ネットワークに接続されたカメラモジュールに、高解像度の画像データと低解像度の画像データとを生成する手段、被写体の重要度を検出する手段および当該検出手段からの出力に応じて、前記高解像度の画像データおよび前記低解像度の画像データのいずれかを選択し前記ネットワークへ出力する技術が開示されている。
【００１４】
特許文献１には、人体の接近を検知する機能の利用例として、人体が接近したことを検知するセンサーを備え、人体が接近したことを当該センサーが検出すると電源を入り切りすることを特徴とするテレビジョン受信機の技術が開示されている。
【００１５】
また、一般的な技術の１つとして、電子機器に備えられるカメラモジュールにおいて、ユーザに撮像中であることを明示するために、ＬＥＤ等によって表示を行う技術がある。
【先行技術文献】
【特許文献】
【００１６】
【特許文献１】実開平５‐４６７９号公報（１９９３年１月２２日公開）
【特許文献２】特開２００３‐２９８９０３号公報（２００３年１０月１７日公開）
【発明の概要】
【発明が解決しようとする課題】
【００１７】
しかしながら、上述した各従来技術は、それぞれ以下のような問題がある。
【００１８】
あくまで、撮影中であることを明示するだけであり、撮影する画像の解像度を自動的に低減する手段は設けられていない。したがって、高精細な画像撮影機能と人体検出センサー機能とを両立させることはできない。
【００１９】
特許文献１には、検知センサーの具体的な構成が開示されていない。したがって、この文献の技術はあくまで単なる人体検出センサーに過ぎず、高精細の画像を撮影できる構成をも備えているとは言えない。
【００２０】
特許文献２の技術においては、画像を解析して被写体の重要度を検出する回路のような、処理が複雑な回路が必要になる。
【００２１】
本発明は上記の課題を解決するために為されたものである。そして、その目的は、画像を解析して被写体の重要度を検出する回路のような処理が複雑な回路を必要とすることなく、同じ被写体に対して、高精細な画像と、被写体の識別が不完全になり、かつ人体検出には必要となる解像度の画像とを１つの撮像素子で選択的に得ることができるカメラモジュールを提供することを目的とする。
【課題を解決するための手段】
【００２２】
本発明に係る電子機器は、上記の課題を解決するために、
撮像素子と、撮影方向からの入射光を撮像素子へ集光させるレンズとを備えるカメラモジュールであって、前記レンズにおける光の入射する側に配置され、前記入射光に対して垂直方向に移動可能であり、前記入射光を散乱させる可視光散乱部と前記入射光を透過させる可視光透過部とを有するフィルターを備え、前記可視光透過部が前記レンズを覆う位置から前記可視光散乱部が前記レンズを覆う位置に、前記フィルターを制御信号に基づき自動的に移動させる手段をさらに備えており、前記可視光散乱部が前記レンズを覆う位置から前記可視光透過部が前記レンズを覆う位置に、前記フィルターを制御信号に基づき自動的に移動させる手段を備えていないことを特徴としているカメラモジュールと
高精細な画像を撮像するためのアプリケーションを起動および終了させ、かつ前記アプリケーションの終了後、前記制御信号を前記カメラモジュールに送信する信号処理回路とを備えていることを特徴としている。
【００２３】
上記の構成によれば、フィルターは、レンズの前方に配置され、かつ、入射光に対して垂直方向に移動することができる。このフィルターは、入射光を散乱させる可視光散乱部と、入射光を透過させる可視光透過部とを備えている。したがって、フィルターがレンズの前方において移動することによって、可視光散乱部または可視光透過部のいずれかが、レンズを覆う位置に配置されることが可能になる。
【００２４】
可視光散乱部がレンズを覆う位置にフィルターが配置された場合、レンズには散乱された光が入射される。したがって、被写体の識別が不完全になり、かつ人体検出には必要となる解像度の画像を得ることができる。一方、可視光透過部がレンズを覆う位置にフィルターが配置された場合は、レンズにはほぼ劣化しない光が入射される。したがって、被写体の識別が可能になる高精細な画像を撮影できる。
【００２５】
そのため、本発明のカメラモジュールでは、用途に応じて最適な解像度の画像を得ることができる。例えば、ユーザが意図して撮影する用途においては、可視光透過部をレンズを覆う位置に配置することにより、高精細な画像を撮影することができる。他方、ユーザが意図して撮影する以外の用途、つまり、人体の接近を検出するセンサーとして利用する用途においては、可視光散乱部をレンズを覆う位置に配置することにより、被写体の識別が不完全になり、かつ人体検出には必要となる解像度の画像を得ることができる。
【００２６】
以上のように、本発明では、可視光透過部および可視光散乱部を選択的に利用することにより、同じ被写体に対して、高精細な画像と、被写体の識別が不完全になり、かつ人体検出には必要となる解像度の画像とを、１つの撮像素子で選択的に得ることができる。よって、画像を解析するような処理が複雑な回路を必要とせず、２種類のフィルターを選択的に使うという単純な構成によって、高精細な画像とぼやけた画像とを選択的に撮影することができる効果を奏する。
【００２７】
また、上記の構成によれば、フィルターは、可視光透過部がレンズを覆う位置から可視光散乱部がレンズを覆う位置には自動的に移動できる。一方、可視光散乱部がレンズを覆う位置から可視光透過部がレンズを覆う位置には自動的に移動できない。したがって、ユーザが意図しないときに可視光透過部がレンズを覆うことにはならない。その結果、ユーザが意図しない時に高精細な画像が撮影されることを防止できる。
【００２８】
また、上記の構成によれば、画像を解析するような処理が複雑な回路を必要とせず、２種類のフィルターを選択的に使うという単純な構成によって、高精細な画像とぼやけた画像とを選択的に撮影できる電子機器を提供することができる。
【００２９】
本発明に係る電子機器では、さらに、
前記可視光散乱部は、光を散乱させるフィラーを含有していることが好ましい。
【００３０】
上記の構成によれば、可視光は散乱した状態で撮像素子へ到達し、被写体の識別が不完全になり、かつ人体検出には必要となる解像度の画像を得ることができる。
【００３１】
本発明に係る電子機器では、さらに、
前記可視光散乱部の表面には、光を散乱させるシボ加工が施されていることが好ましい。
【００３２】
上記の構成によれば、可視光は散乱した状態で撮像素子へ到達し、被写体の識別が不完全になり、かつ人体検出には必要となる解像度の画像を得ることができる。
【００３３】
本発明に係る電子機器では、さらに、
前記可視光透過部は、前記フィルターに形成された開口部であることを特徴としている。
【００３４】
上記の構成によれば、可視光がほぼ劣化なく撮像素子へ到達できるので、高精細な画像を得ることができる。
【００３５】
本発明に係る電子機器では、上記の課題を解決するために、
前記可視光散乱部が前記レンズを覆う位置に配置されていることを検出する検出手段をさらに備え、
前記可視光透過部が前記レンズを覆う位置から前記可視光散乱部が前記レンズを覆う位置に前記フィルターが移動するときは、前記可視光散乱部が前記レンズを覆う位置に配置されていることを前記検出手段が検出するまで、前記撮像素子による撮影は行わないことを特徴としている。
【００３６】
上記の構成によれば、可視光散乱部がレンズを覆う位置に配置されていることを検出した場合に、被写体の識別が不完全になり、かつ人体検出には必要となる解像度の画像を得ることができる。一方、可視光散乱部がレンズを覆う位置に配置されていることを検出できない場合、撮像素子は被写体を撮影しない。よって、ユーザが意図しない時に誤って高精細な画像を撮影することを防止できる。
【発明の効果】
【００３７】
本発明のカメラモジュールは、画像を解析して被写体の重要度を検出する回路のような処理が複雑な回路を必要とすることなく、同じ被写体に対して、高精細な画像と、被写体の識別が不完全になり、かつ人体検出には必要となる解像度の画像とを１つの撮像素子で選択的に得ることができる効果を奏する。
【図面の簡単な説明】
【００３８】
【図１】本発明の第１実施形態のカメラモジュールの断面図である。
【図２】本発明の第１実施形態のフィルターの正面図である。
【図３】本発明の第１実施形態のフィルターの固定機構を説明する断面図である。
【図４】本発明の第１実施形態のフィルターの移動例の断面図である。
【図５】本発明の第１実施形態のシステム構成図である。
【図６】本発明の第２実施形態のカメラモジュールの断面図である。
【図７】本発明の第２実施形態のフィルターの正面図である。
【図８】本発明の第２実施形態のシステム構成図である。
【発明を実施するための形態】
【００３９】
以下、本発明の実施の形態として外付け型のカメラモジュールを例として説明する。なお、本発明は以下の各実施形態に限定されるものではない。また、同一の機能および作用を示す部材には、同一の符号を付し、説明を省略する。
〔実施の形態１〕 
本発明に係る第１の実施形態について図１〜図５に基づいて説明すれば、以下のとおりである。
【００４０】
（カメラモジュール２０の構成）
図１は、本発明の実施の形態に係るカメラモジュール２０の断面図である。同図に示すように、カメラモジュール２０は、筺体１、プリント基板２、レンズ５およびフィルター３０を備えている。カメラモジュール２０は、被写体の画像（静止画および動画）を撮影するためのモジュールであり、後述する電子機器に備えられて利用される。
【００４１】
プリント基板２には、撮像素子３、映像処理回路１０およびコネクタ１１が実装されている。レンズホルダー４には、カメラ５および赤外線カットフィルター６が内蔵されている。レンズホルダー４は、撮影方向からの入射光の光軸と撮像素子３とを調節した状態で、プリント基板２に固定されている。レンズ５はレンズホルダー４の撮影方向に設置されている。また、赤外線カットフィルター６は、レンズ５と撮像素子３との間に設置されている。
【００４２】
（撮像素子３）
カメラモジュールの撮影方向から来た光は、フィルター３０、レンズ、５および赤外線カットフィルター６をそれぞれ通過し、最後に撮像素子３に到達する。すなわちレンズ５は、入射光を出射させて撮像素子３に集光させる。撮像素子３は、到達した光を画像（映像）に変える。撮像素子３は、当該画像を映像処理回路１０へ送る。映像処理回路１０は当該画像をカメラモジュール２０に接続された電子機器へあらかじめ決められたフォーマットによって伝送するための信号処理をする。そして、映像処理回路１０は当該画像を処理してコネクタ１１から電子機器へ出力する。
【００４３】
（フィルター３０）
図１に示すように、フィルター３０は、可視光散乱フィルター８（可視光散乱部）と可視光透過フィルター９（可視光透過部）とフィルター保持体７とを備えている。可視光散乱フィルター８は、透過する可視光を散乱させる効果を有する。可視光散乱フィルター８は、フィラーを含有しているか、または表面にシボ加工がなされている。可視光透過フィルター９は、可視光をほぼ劣化なく透過させる効果を有する。可視光散乱フィルター８および可視光透過フィルター９は、フィルター保持体７に固定され、フィルター３０に組み込まれている。
（フィルター３０の移動）
図１において、入射光４０は、撮影方向からカメラモジュール２０へ入射する光である。フィルター３０は、筺体１（レンズ５）の光入射面側に取り付けられている。ここで、フィルター３０は、入射光４０に対して垂直方向４２に移動可能なように取り付けられている。フィルター３０は、可視光透過フィルター９がレンズ５を覆う位置、または、可視光散乱フィルター８がレンズ５を覆う位置に、それぞれ移動できる。
【００４４】
図１は、可視光透過フィルター９がレンズ５を完全に覆う位置においてフィルター３０が筺体１に固定される状態を示す。一方、図４は、可視光散乱フィルター８がレンズ５を完全に覆う位置においてフィルター３０が筺体１に固定される状態を示す。カメラモジュール２０には、フィルター３０を固定する手段をさらに備えている。この固定手段は、フィルター３０を入射光４０に対して可視光透過フィルター９がレンズ５を完全に覆う位置に固定する。または、入射光４０に対して可視光散乱フィルター８がレンズ５を完全に覆う位置に固定する。
【００４５】
（フィルター３０の固定）
フィルター３０を筺体１に固定する手段について、図２および図３を参照して以下に説明する。図２は、フィルター３０の正面図である。図３は、カメラモジュール２０の断面図である。図２に示すように、フィルター保持体７の下部に突起１２が設けられている。また、図３に示すように筺体１の内部に溝１３が設けられている。この溝１３の両端には、凹部１４および凹部１５が設けられている。突起１２が凹部１４または凹部１５に勘合することにより、フィルター３０が筺体１に固定される。突起１２が凹部１５に勘合している状態においては、可視光散乱フィルター８がレンズ５を完全に覆う。一方、突起１２が凹部１４に勘合している状態においては、可視光透過フィルター９がレンズ５を完全に覆う。
【００４６】
（フィルター３０による効果）
図１に示すように、可視光透過フィルター９がレンズ５を完全に覆う位置においてフィルター３０が筺体１へ固定されている場合、撮影方向から入射した可視光は、ほぼ劣化なく撮像素子３へ到達する。よって、被写体を撮影すると高精細な画像を得ることができる。他方、図４に示すように、可視光散乱フィルター８がレンズ５を完全に覆う位置においてフィルター３０が筺体１へ固定されている場合、撮影方向から入射した可視光は散乱した状態で撮像素子３へ到達する。よって、被写体を撮影するとぼやけた画像を得ることができる。
【００４７】
以上のように、カメラモジュール２０は、２種類のフィルター（可視光透過フィルター９および可視光散乱フィルター８）を選択的に利用する。このような構成により、同じ被写体に対して、高精細な画像と、被写体の識別が不完全になり、かつ人体検出には必要となる解像度の画像とを、１つの撮像素子３で選択的に得ることができる。例えば、ユーザが意図して撮影する用途においては、可視光透過フィルター９をレンズ５を覆う位置に配置することにより、高精細な画像を撮影することができる。他方、ユーザが意図して撮影する以外の用途、つまり、人体の接近を検出するセンサーとして利用する用途においては、可視光散乱フィルター８をレンズ５を覆う位置に配置することにより、被写体の識別が不完全になり、かつ人体検出には必要となる解像度の画像を得ることができる。
【００４８】
また、上記２種類のフィルターを選択的に利用することにより、映像処理回路１０は、フィルターの違いによって処理内容を変えなくてよい。そのため、映像処理回路１０が単純化される。すなわちカメラモジュール２０は、同じ被写体に対して、高精細な画像と、被写体の識別が不完全になり、かつ人体検出には必要となる解像度の画像とを、１つの撮像素子３で選択的に得ることができる。よって、画像を解析するような処理が複雑な回路を必要とせず、２種類のフィルターを選択的に使うという単純な構成によって、高精細な画像とぼやけた画像とを選択的に撮影することができる。
【００４９】
（システムの構成）
図５は、本発明のカメラモジュールの第１実施形態の構成を説明するためのシステム構成図である。ただし、電子機器の構成に関しては、本発明のカメラモジュールに係る構成のみを説明する。同図に示すように、カメラモジュール２０は、電子機器５０に対して外付けの状態で接続されている。電子機器５０は、コネクタ５１、信号処理回路５２、表示用回路５３、および表示装置５４により構成されている。
【００５０】
信号処理回路５２は、コネクタ５１とコネクタ１１とを介して、映像処理回路１０と接続されている。映像処理回路１０が信号処理した映像は、信号処理回路５２に送られる。これにより電子機器５０は、カメラモジュール２０によって撮影された映像を取得することができる。
【００５１】
電子機器５０は、カメラモジュール２０によって撮影された被写体の画像を、インターネット等の通信網を通じて外部に送信する機能を有している。ここで、上述したように、カメラモジュール２０はユーザが意図しない場合には高精細な画像を撮像しないようにすることができるので、自身の識別が可能な画像が外部に流出するという不安を、ユーザに与えずに済む。
【００５２】
なお、カメラモジュールに接続される電子機器は、必ずしも、画像をインターネットを通じて外部に送信する機能を有している必要は無い。例えば、外部出力端子または外部メモリを通じて、画像を電子機器の外部に出力できるような電子機器であってもよい。
【００５３】
電子機器５０の具体例として、パソコンおよびテレビ等があるが、これらには限定されない。
【００５４】
〔実施の形態２〕
本発明の他の実施形態について、図６〜図８に基づいて説明すれば、以下のとおりである。説明の便宜上、前記実施の形態１にて説明した図面と同じ機能を有する部材については、同じ符号を付記し、その説明を省略する。
（カメラモジュール２０ａの構成）
図６は本発明に係るカメラモジュール２０ａの断面図である。第１実施例との機構および機能上の差異を中心に説明する。同図に示すように、カメラモジュール２０ａは、筺体１、プリント基板２、レンズ５およびフィルター３０に加え、センサー１６（検出手段）と、センサー１７（検出手段）と、解除部材１８とをさらに備えている。凹部１４の近傍にセンサー１６が、凹部１５の近傍にはセンサー１７が、それぞれ設けられている。センサー１６は、突起１２が凹部１４に勘合したことを示す信号を映像処理回路１０へ送る。センサー１７は、突起１２が凹部１５に勘合したことを示す信号を映像処理回路１０へ送る。また、凹部１４の内部には解除部材１８が配されている。解除部材１８は、突起１２と凹部１４の勘合を解除する部材である。解除部材１８は、映像処理回路１０からの解除信号（制御信号）に対応して、突起１２が凹部１４勘合している状態を解除することができる。
【００５５】
（フィルター３０ａ）
図７は、発明の第２実施形態に係るフィルターの正面図である。同図に示すように、フィルター３０ａは、可視光散乱フィルター８と可視光透過フィルター９とフィルター保持体７とに加え、押圧部材１９をさらに備えている。押圧部材１９は、筺体１の内壁を押圧し、フィルター３０を移動させる部材である。押圧部材１９はフィルター３０ａの側面に設けられている。フィルター３０ａの可視光散乱フィルター８の組み込まれている側面に、押圧部材１９を設けることにより、筺体１の内壁を押圧することができる。突起１２が凹部１４に勘合している状態においては、押圧部材１９の押圧力は強く働く。映像処理回路１０からの解除信号により解除部材１８が突起１２と凹部１４との勘合を解除した状態においては、押圧部材１９の押圧力は突起１２が凹部１５に勘合する状態になるまで持続するように設定されている。
【００５６】
（システムの構成）
図８は本発明のカメラモジュールの第２実施形態の構成を説明するためのシステム構成図である。ただし、電子機器の構成に関しては、本発明のカメラモジュールに係る構成のみを説明する。同図に示すように、カメラモジュール２０ａは、電子機器５０に対して外付けの状態で接続されている。本実施形態では、信号処理回路５２は、カメラモジュール２０ａを制御するための各種の信号を、カメラモジュール２０ａに対して送信する。この信号は、コネクタ５１とコネクタ１１とを介して映像処理回路１０が受信する。受信した信号を、映像処理回路１０が解除部材１８へ出力する構成となっている。
【００５７】
（電子機器５０）
電子機器５０は、ユーザの指示に応じてアプリケーションを起動することができる。本実施形態では、当該アプリケーションを実行することにより、ユーザの識別が可能な高精細な画像を撮影することができる。また、当該アプリケーションを実行することにより、撮影した画像をインターネットを介して特定または不特定の相手に伝送することができる。
【００５８】
ユーザは、電子機器５０に対して、上記アプリケーションの起動を指示する。これにより信号処理回路５２は、指定されたアプリケーションを起動する。そして、信号処理回路５２は、フィルターの移動に関するコメントを表示するように、表示用回路５３に指示する。この指示を受けて、表示用回路５３は、「高精細な画像を撮影できる位置にフィルター３０ａを移動する」旨のコメントを表示装置５４に表示する。
【００５９】
ユーザは、手動によりフィルター３０ａを可視光透過フィルター９がレンズ５を覆う位置へ移動させる。その際、手動によりフィルター３０ａの突起１２を凹部１４に勘合させる。センサー１６は、突起１２が凹部１４に勘合したことを検出した場合、その旨を示す信号を映像処理回路１０へ送信する。映像処理回路１０は上記信号を信号処理回路５２に送る。表示用回路５３は、信号処理回路５２が上記信号を受信するまで、表示装置５４に上記コメントを表示し続ける。信号処理回路５２は、上記信号を受信した後に、撮影を開始しアプリケーションの動作を継続する。
【００６０】
（人体検出モード）
上述したアプリケーションの実行が終了すると、カメラモジュール２０ａは、自動的に人体検出モードで動作する。その手順を以下に説明する。まずユーザが、電子機器５０に対してアプリケーションの終了を指示する。これにより、信号処理回路５２は、アプリケーションを終了させる。アプリケーションが終了した時点において、信号処理回路５２は、映像処理回路１０に対して、突起１２を凹部１４から解除するための信号（制御）を送信する。映像処理回路１０は、当該解除信号を解除部材１８へ出力する。解除部材１８は、突起１２と凹部１４との勘合を解除する。そして、押圧部材１９が筺体１の内壁を押圧することにより、フィルター３０ａが移動する。すなわち、フィルター３０ａは、可視光散乱フィルター８がレンズ５を覆う位置に自動的に移動し、突起１２が凹部１５に勘合する。
【００６１】
センサー１７は、突起１２が凹部１５へ勘合したことを検出した場合、その旨を示す信号を映像処理回路１０へ送信する。映像処理回路１０は上記信号を信号処理回路５２へ送る。信号処理回路５２は、上記信号を、映像処理回路１０から受信した後、人体検出モードに入る。これによりカメラモジュール２０ａは、被写体の識別が不完全になり、かつ人体検出には必要となる解像度の画像を得る。
【００６２】
信号処理回路５２は、上記信号を映像処理回路１０から受信できない場合、フィルターの移動に関するコメントを表示するように、表示用回路５３へ指示する。この指示を受けて、表示用回路５３は、「フィルター３０ａの位置を確認する」旨のコメントを表示装置５４に表示する。信号処理回路５２が上記信号を受信するまで、表示用回路５３は表示装置５４に上記コメントを表示し続ける。
【００６３】
ここで、信号処理回路５２は、上記信号を映像処理回路１０から受信できない場合、人体検出モードには入らない。すなわち、センサー１７が突起１２が凹部１５へ勘合したことを検出しない間、撮像素子３は被写体を撮影しない。よって、ユーザが意図しない時に誤って高精細な画像を撮影することを防止できる。
【００６４】
（フィルター３０ａの手動による移動）
ユーザが意図して高精細な画像を撮影しない場合、つまり、センサーとして当該カメラモジュールが動作する場合は、突起１２が凹部１５に勘合した状態である。凹部１５は、凹部１４と異なり、内部に解除部材を有していない。また、当該状態において、映像処理回路１０および信号処理回路５２は、相互に信号を送受信することはない。すなわち、カメラモジュール２０ａは、当該状態を解除し突起１２が凹部１４に勘合する位置へ自動的に移動させる手段は有していない。よって、突起１２を凹部１５から解除し、凹部１４に勘合させる状態にするためには、ユーザが手動によりフィルター３０ａを移動させることが必要である。換言すると、ユーザが意図しないときに可視光透過フィルター９がレンズ５を覆うことにはならない。その結果、ユーザが意図しない時に高精細な画像が撮影されることを防止できる。
【００６５】
なお、本発明は以下の各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６６】
（カメラモジュールを内蔵した電子機器）
カメラモジュール２０は、電子機器に外付けで接続される場合に限らず、電子機器に内蔵することもできる。カメラモジュール２０を電子機器に内蔵した場合も、電子機器に外付けで接続した場合と同様な仕組みである。ユーザが意図して撮影する場合、可視光透過フィルター９がレンズ５を覆う位置にフィルター３０を筺体１へ固定することにより、高精細の画像を得ることができる。また、ユーザが意図して撮影する場合以外のセンサーとして使用する場合、可視光散乱フィルター８がレンズ５を覆う位置にフィルター３０を筺体１へ固定することにより、被写体の識別が不完全になり、かつ人体検出には必要となる解像度の画像を得ることができる。
【００６７】
（開口部）
フィルター３０には、必ずしも、可視光透過フィルター９が設けられている必要は無い。その代わりに、フィルター３０には開口部が形成されていてもよい。可視光は開口部をそのまま透過するので、フィルター３０は、開口部が形成されている場合も、可視光透過フィルター９が設けられている場合と同様の機能を発揮できる。
【産業上の利用可能性】
【００６８】
本発明のカメラモジュールは、高精細な画像を撮影する用途および人体検出センサーとしての用途の両方が可能なカメラモジュールとして、幅広く利用できる。また、当該カメラモジュールを備えた電子機器は、パソコンおよびテレビ等の各種の電子機器として幅広く利用できる。
【符号の説明】
【００６９】
１  筺体
２  プリント基板
３  撮像素子
４  レンズホルダー
５  レンズ
８  可視光散乱フィルター（可視光散乱部）
９  可視光透過フィルター（可視光透過部）
１０  映像処理回路
１２  突起
１３  溝
１４  凹部
１５  凹部
１６  センサー
１７  センサー
１８  解除部材
１９  押圧部材
２０  カメラモジュール
２０ａ  カメラモジュール
３０  フィルター
３０ａ  フィルター
５０  電子機器
【図１】
0005323866.tif 000002
【図２】
0005323866.tif 000003
【図３】
0005323866.tif 000004
【図４】
0005323866.tif 000005
【図５】
0005323866.tif 000006
【図６】
0005323866.tif 000007
【図７】
0005323866.tif 000008
【図８】
0005323866.tif 000009